(57)【特許請求の範囲】
【請求項１】
発色剤層と顕色剤層が向かい合う様に重ね合わせて使用され、かつＮＩＰ機のトナー熱定着ローラで熱定着するノーカーボン帳票において、複写不要箇所の顕色剤層上に発色剤と顕色剤との化学反応を抑制する減感剤が塗布され、さらに、この減感剤が、減感剤に加わる熱量を低減する耐熱性を備えた紫外線硬化型または酸化重合型インキからなる減感剤保護層で被覆されていることを特徴とするノーカーボン帳票。
【請求項２】
上記減感剤保護層は、無色透明なものであることを特徴とする請求項１記載のノーカーボン帳票。
【発明の詳細な説明】
【０００１】
【発明の属する技術分野】
本発明は、ノーカーボン紙からなる帳票に関し、特に、発色剤層と顕色剤層が向かい合う様に重ね合わせて使用するものである。
【０００２】
【従来の技術】
ノーカーボン帳票、例えば保険申込書等のように、ＮＩＰ機（ノンインパクトプリンタ）を用いて各種情報等が印字されたノーカーボン紙を互いに発色剤層と顕色剤層を向かい合わせて使用するとともに、複写不要箇所の顕色剤層に減感剤が塗布されたものが従来から用いられている。
【０００３】
つまり、上述した帳票は、ＮＩＰ機で各種情報等が印字され、それらを発色剤層と顕色剤層が向かい合う様に重ね合わせ、裏面に発色剤層を有する用紙、例えばノーカーボン上用紙または中用紙の表面にボールペン等で文字，記号等を記入したとき、筆圧等により表面に顕色剤層を有する用紙、例えばノーカーボン中用紙または下用紙に同一な文字，記号等が複写されるものである。
【０００４】
ここで、このような帳票例として図３を参照して説明する。
【０００５】
上述した帳票１を構成する上用紙１０は、図３に示すように、その裏面において発色剤が塗布された発色剤層１０１を有している。
【０００６】
また、下用紙２０は、表面に顕色剤が塗布された顕色剤層２０１を有しており、その上に減感剤２０２を有している。
【０００７】
【発明が解決しようとする課題】
しかしながら、上述したノーカーボン帳票１において、図４に示すように、下用紙２０にＮＩＰ機で各種情報等を印字する際に、ＮＩＰ機のトナー熱定着ローラ５０からの加熱により減感剤２０２が軟化して剥離し、それがトナー熱定着ローラ５０に付着し、汚してしまう問題点があった。
【０００８】
そこで、本発明は上述の問題点に鑑み、ＮＩＰ機で印字を行っても、減感剤によるトナー熱定着ローラの汚れを防止するノーカーボン帳票を提供することを目的とする。
【０００９】
【課題を解決するための手段】
上述の目的を達成するために、請求項１記載の発明は、発色剤層と顕色剤層が向かい合う様に重ね合わせて使用され、かつＮＩＰ機のトナー熱定着ローラで熱定着するノーカーボン帳票において、複写不要箇所の顕色剤層上に発色剤と顕色剤との化学反応を抑制する減感剤が塗布され、さらに、この減感剤が、減感剤に加わる熱量を低減する耐熱性を備えた紫外線硬化型または酸化重合型インキからなる減感剤保護層で被覆されるようにする。
【００１０】
請求項２記載の発明は、請求項１記載の発明において、上記減感剤保護層が、無色透明なものであるようにする。
【００１１】
本発明では、ノーカーボン紙の顕色剤層上に塗布されている減感剤が耐熱性インキからなる減感剤保護層で被覆されるので、ＮＩＰ機で各種情報等を印字した際、トナー熱定着ローラからの熱を減感剤保護層で低減し、減感剤の軟化および顕色剤層からの剥離を防止することができる。
【００１２】
【発明の実施の形態】
以下、本発明に係るノーカーボン帳票の実施形態を、図面を参照して説明する。
【００１３】
図１は本発明に係るノーカーボン帳票の構成を示す断面図である。
【００１４】
なお、従来と同様な構成部分については同一の参照符号を付ける。
【００１５】
この実施形態のノーカーボン帳票１は、ＮＩＰ機を用いて、予め、上用紙と下用紙に各種情報等、例えば保険申込書等を印字し、印字された上用紙と下用紙を重ね合わせて使用するものであって、図１に示すように、上用紙１０と下用紙２０とから形成されている。
【００１６】
上用紙１０は、下面において例えばロイコ染料を包んでいるカプセルを有する発色剤が塗布されて形成された発色剤層１０１を有している。
【００１７】
下用紙２０は上面において顕色剤が塗布されて形成された顕色剤層２０１を有しているとともに、この顕色剤層２０１上の複写不要な箇所に減感剤２０２が塗布されている。
【００１８】
また、下用紙２０は減感剤２０２を耐熱性インキからなる減感剤保護層２０３で被覆されている。
【００１９】
減感剤２０２は、発色剤層１０１の発色剤と顕色剤層２０１の顕色剤との反応による発色を抑制するものであって、ＮＩＰ機のトナー熱定着ローラ５０での熱によって軟化するものである。
【００２０】
この減感剤２０２にはアミン，ジアミン，第４級アンモニウム塩等が使用されている。
【００２１】
減感剤保護層２０３に使用される耐熱性インキは、紫外線硬化型や酸化重合型で、無色透明で耐熱性を有するインキが使用される。例えば商品名；ＲＮＣ無変色メジウム、Ｔ＆Ｋ  ＴＯＫＡ製のものがある。
【００２２】
この減感剤保護層２０３は、凸版印刷，オフセット印刷等で耐熱性インキを減感剤２０２の上に塗布されて形成される。
【００２３】
この実施形態のノーカーボン帳票１では、上用紙にボールペン等で文字，記号等を記入したとき、ボールペン等の加圧により、上用紙１０の発色剤層１０１に含有するロイコ染料のカプセルが破壊し、カプセル内の染料と下用紙２０の顕色剤層２０１の顕色剤が化学反応し、上用紙１０に記入したものと同一な文字，記号等が下用紙２０に複写される。
【００２４】
なお、上述したように、減感剤２０２がある場合には、減感剤２０２が発色剤層１０１の発色剤と下用紙２０の顕色剤層２０１の顕色剤との化学反応を抑制するので、下用紙２０には複写されない。
【００２５】
この実施形態のノーカーボン帳票１では、下用紙２０に有する減感剤２０２が減感剤保護層２０３で被覆されていることにより、ＮＩＰ機で下用紙２０に各種情報等を印字しても、トナー定着の際に減感剤２０２に加わる熱量が低減され、減感剤２０２の軟化および顕色剤層２０１からの剥離を防止することができる。
【００２６】
上述した実施形態のノーカーボン帳票１は、上用紙１０と下用紙２０からなる２枚の用紙で形成されているものであるが、これに代えて、複数の中用紙および下用紙を有するものであってもよい。
【００２７】
もちろん、これらの中用紙および下用紙の顕色剤層２０１上に減感剤２０２および減感剤保護層２０３を有してもかまわない。
【００２８】
【発明の効果】
以上、本発明によれば、ノーカーボン紙の顕色剤層上に塗布されている減感剤が耐熱性インキからなる減感剤保護層で被覆されているので、ＮＩＰ機で各種情報等を印字した際、トナー熱定着ローラからの熱を減感剤保護層で低減し、減感剤の軟化および顕色剤層からの剥離を防止する。
【００２９】
従って、剥離した減感剤によりトナー熱定着ローラを汚すことを防止することができる。
【図面の簡単な説明】
【図１】本発明に係るノーカーボン帳票の実施形態の構成を示す断面図。
【図２】この実施形態のノーカーボン帳票の下用紙をＮＩＰ機で各種情報等を印字した際に減感剤がトナー熱定着ローラに付着しないことを説明する説明図。
【図３】従来のノーカーボン帳票の構成を示す断面図。
【図４】従来のノーカーボン帳票の下用紙をＮＩＰ機で各種情報等を印字した際に減感剤がトナー熱定着ローラに付着することを説明する説明図。
【符号の説明】
１      ノーカーボン帳票
１０    上用紙
１０１  発色剤層
２０    下用紙
２０１  顕色剤層
２０２  減感剤
２０３  減感剤保護層
５０    トナー熱定着ローラ
【図１】
0003565550.tif 000002
【図２】
0003565550.tif 000003
【図３】
0003565550.tif 000004
【図４】
0003565550.tif 000005